(57)【特許請求の範囲】
【請求項１】
エアゾール内容物の噴射を行うノズル体の外周に、ノズル体の軸方向に於いて高さの異なる複数の係合段部を階段状に形成したエアゾール容器と、このエアゾール容器のノズル体を抜出し可能に挿通する挿通口を設け、この挿通口の内面に、複数の係合段部のいずれかの上面と係合する係合突部を形成するとともに挿通口に連通しエアゾール内容物の噴射目的部を被覆する被覆カバーを設けたアダプターとから成る事を特徴とする範囲限定噴射用のエアゾール装置。
【請求項２】
エアゾール内容物の噴射を行うノズル体の外周に、係合突部を形成したエアゾール容器と、このエアゾール容器のノズル体を抜出し可能に挿通する挿通口を設け、この挿通口の内面に、挿通口の軸方向に於いて高さの異なる複数の係合段部を階段状に形成して係合突部に係合可能とするとともに挿通口に連通しエアゾール内容物の噴射目的部を被覆する被覆カバーを設けたアダプターとから成る事を特徴とする範囲限定噴射用のエアゾール装置。
【請求項３】
被覆カバーは、エアゾール容器の肩カバーを被覆し得る形状に形成した事を特徴とする請求項１の範囲限定噴射用エアゾール装置。
【発明の詳細な説明】
【０００１】
【産業上の利用分野】
本発明はエアゾール内容物を特定の範囲に限定して噴射するための、範囲限定噴射用のエアゾール装置に係るもので、主として人体の鼻、口、眼等に薬剤を噴射塗布または洗浄する場合に、特に有効なものである。
【０００２】
【従来の技術】
従来、人体の眼、口、鼻等に散布するためのエアゾール用薬剤は存在するが、これらのエアゾール薬剤を人体に散布する場合には、エアゾールの噴射圧力によって人体の目的部以外にも広く拡散して噴射されるものとなり、周囲を汚染したり、目的部以外の人体器官に好ましくない状況を発生させる場合が生じる。特に、口内に噴射するための口中清涼剤等の刺激性薬剤が、口に近接している眼等に付着した場合には、強い不快感を生じたり、傷害事故を生じる可能性もある。
【０００３】
【発明が解決しようとする課題】
そこで本発明に於ては、その噴射する目的部に限定したエアゾール内容物の噴射を可能とするものである。また、本発明に於ては、エアゾール内容物の噴射に於て、周囲を汚染しないようにする事が可能となる。すなわち、被覆カバーで体の特定の目的部、口、鼻、眼等を完全に被覆した状態で噴射を行うから、これらの口、鼻、眼等の体と接触したエアゾール内容物は被覆カバー内に落下し周囲に拡散する事がない。そのため、エアゾール内容物の噴射完了後は、被覆カバー内に溜まった内容液を捨てて、軽く洗浄するのみで、エアゾール内容物の噴射作業を完了する事ができるものである。
【０００４】
【課題を解決するための手段】
本発明は、上述の如き課題を解決するため、エアゾール内容物の噴射を行うノズル体の外周に、ノズル体の軸方向に於いて高さの異なる複数の係合段部を階段状に形成したエアゾール容器と、このエアゾール容器のノズル体を抜出し可能に挿通する挿通口を設け、この挿通口の内面に、複数の係合段部のいずれかの上面と係合する係合突部を形成するとともに挿通口に連通しエアゾール内容物の噴射目的部を被覆する被覆カバーを設けたアダプターとから成るものである。
【０００５】
また、他の異なる発明は、エアゾール内容物の噴射を行うノズル体の外周に、係合突部を形成したエアゾール容器と、このエアゾール容器のノズル体を抜出し可能に挿通する挿通口を設け、この挿通口の内面に、挿通口の軸方向に於いて高さの異なる複数の係合段部を階段状に形成して係合突部に係合可能とするとともに挿通口に連通しエアゾール内容物の噴射目的部を被覆する被覆カバーを設けたアダプターとから成るものである。
【０００６】
また、被覆カバーは、エアゾール容器の肩カバーを被覆し得る形状に形成したものであっても良い。
【０００７】
【作用】
本発明は、上述の如く構成したものであるから、エアゾール内容物を適宜の噴射目的部に噴射するには、人体の口、鼻、眼等の噴射目的部に被覆カバーを密着させる。この密着状態でエアゾール容器のステムを押圧し、制御弁を開放して内容物をノズル体のノズルから噴射する。
【０００８】
この噴射に於て被覆カバーは、噴射目的部を被覆しているから、エアゾール内容物が周囲に拡散する事はなく、噴射目的部に確実にエアゾール内容物を噴射塗布する事が可能となる。また、噴射目的部から流出したり脱落したエアゾール内容物は、被覆カバー内に落下し周囲に拡散する事がない。そのため、鼻、眼、喉の洗浄行う場合の如く、ある程度の量を噴射するエアゾール内容物に於ては、これらの洗浄を完了したエアゾール内容物が被覆カバー内に流出し、被覆カバー内に保たれるものとなる。従って、周囲にエアゾール内容物が拡散される事がないとともに、エアゾール内容物は噴射目的部に確実に到達し、噴射目的部に噴射する事が可能と成る。
【０００９】
また、エアゾール容器のステムに接続するノズル体の外周には、高さの異なる複数の係合段部を形成している。そして、このノズル体を挿通するアダプターの挿通口には、係合突部を形成しているから、係合突部を係合段部のいずれかに係合する事により、アダプターはノズル体に対して上下方向の配置を進退する事が可能となる。そして、噴射目的部に対するノズル体のノズルの距離を調整する事が可能となるから、エアゾール内容物の内容処方、噴射目的部の状況、使用者の好み等に応じて、ノズルと噴射目的部との距離を任意に調整する事が可能となる。
【００１０】
従って、使用目的に応じて強くエアゾール内容物を吹付ける必要がある場合には、ノズル体をアダプターに深く挿入係合すれば良い。また、比較的ゆるい穏やかな噴射を目的部に行う場合には、アダプターとノズル体の係合固定を浅くする事により、噴射目的部とノズルとの距離を大きく取る事が可能と成るものである。
【００１１】
また、係合突部と係合段部とは相対的なものであるから、ノズル体の外周に係合突部を形成し、挿通口の内面に、係合突部と係合する複数の係合段部を形成するものとしても良い。
【００１２】
【実施例】
以下本発明の一実施例を図面に於て説明すれば、(１)はエアゾール容器で、内部には噴射目的に対応した薬剤等の内容物を噴射剤とともに充填している。そして、この噴射剤と内容物とは混合充填しても良いし、内袋等を介して分離して充填するものであっても良い。
【００１３】
また、このエアゾール容器(１)は、容器本体(２)の上端にバルブ固定部(３)を一体に形成し、このバルブ固定部(３)内にエアゾール内容物の噴射を制御するバルブ機構(図示せず)を装着している。このバルブ機構に下端を接続したステム(４)を、図７に示す如く、バルブ固定部(３)の上端から外方に突出している。
【００１４】
また、バルブ固定部(３)の上部には、エアゾール容器(１)の肩カバー(５)を配置している。そして、この肩カバー(５)に、ステム(４)と下端を連通接続するノズル体(１０)を一体に連結形成している。このノズル体(１０)と肩カバー(５)の連結は、容易に湾曲可能なヒンジ部(７)によって接続している。
【００１５】
また、ノズル体(１０)の側面にはノズル体(１０)を介してステム(４)を押圧するための押圧片(８)を突出し、この押圧片(８)は、手、指等で押圧する事により、ステム(４)を下方に押圧し、バルブ機構を開放して内容物の噴射が可能となるよう構成している。このバルブ機構は、従来公知のチルトアクションバルブを用いても良いし、プッシュダウン方式のバルブを用いても良い。
【００１６】
また、ノズル体(１０)の外周には、ノズル体(１０)の軸方向に於いて高さの異なる複数の係合段部(１１)を階段状に形成している。また、ノズル体(１０)の上端にはエアゾール内容物を噴射するためのノズル(６)を形成している。そしてノズル体(１０)にはアダプター(１２)を接続する。このアダプター(１２)は、管状の連結体(１３)の内部に、ノズル体(１０)を挿通するための挿通口(１４)を貫通形成するとともに、内周面の一部に、ノズル体(１０)の外周に形成した係合段部(１１)と係合するための係合突部(１５)を内方に突出している。
【００１７】
また、連結体(１３)の上端には、挿通口(１４)連通して被覆カバー(１６)を接続固定している。この被覆カバー(１６)は、エアゾール内容物の種類、噴射目的、噴射目的部(１７)の形状等に応じて任意の形状に形成することが出来るが、図面に示す一実施例では下底を円錐状とする円筒に形成している。この円筒状に形成した被覆カバー(１６)の上端を挿通口(１４)の軸方向に対して斜めに切欠いた開口部(１８)を形成する。この開口部(１８)の直径を口、鼻、眼等人体の噴射目的部(１７)に対応した大きさに形成している。そして、この開口部(１８)を人体等の噴射目的部(１７)に押圧する事により、その噴射目的部(１７)を密閉被覆する事ができるように構成している。また被覆カバー(１６)の内部には補強リブ(１９)を複数本突出し被覆カバー(１６)を補強している。
【００１８】
また、アダプター(１２)の連結体(１３)の下端は一部を切欠いて切欠き段部(２０)としている。このように形成する事により、図２に示す如く、ノズル体(１０)を深くアダプター(１２)内に挿入した場合に、ノズル体(１０)の側面に突出している押圧片(８)に連結体(１３)が邪魔されることなく、ノズル体(１０)の深い位置への係合挿入が可能と成るものである。
【００１９】
上述の如く構成したものに於て、これを用いてエアゾール内容物の噴射を行おうとする場合には、図１に示す如く、被覆カバー(１６)を上方に配置してアダプター(１２)の挿通口(１４)にノズル体(１０)を挿入する。この状態に於て、ノズル体(１０)の外周に形成した係合段部(１１)に挿通口(１４)の係合突部(１５)を係合する。
【００２０】
この係合位置は、エアゾール内容物の種類、噴射目的、噴射する場所等、任意の目的に応じて使い分ける事が可能で、エアゾール容器(１)の肩カバー(５)に近い係合段部(１１)に係合突部(１５)を係合すれば、ノズル体(１０)は深く挿入され、ノズル(６)は被覆カバー(１６)の上部方向に配置されるものとなるから、ノズル(６)と噴射目的部(１７)との距離が近いものとなる。
【００２１】
また、係合突部(１５)を、ノズル体(１０)のノズル(６)に近い側の係合段部(１１)に係合すれば、ノズル体(１０)は被覆カバー(１６)の底方向に浅く挿入して配置されるから、ノズル(６)と噴射目的部(１７)との距離は大きなものとなる。この変化は、噴射目的部(１７)が口、鼻、眼等の噴射目的部の場所に応じ、また噴射内容物の処方等によっても任意に決定する事が可能となる。
【００２２】
そしてこの状態に於て、眼、鼻、口等の噴射目的部(１７)を、被覆カバー(１６)で図１、図２、図３に示す如く被覆した後、押圧片(８)を指等で押圧する事により、エアゾール容器(１)内のエアゾール内容物は、バルブ機構を介してノズル(６)から外部に噴射される。この噴射された内容物は、噴射目的部(１７)に噴射された後、被覆カバー(１６)内に落下する。そのためノズル(６)から噴射されたエアゾール内容物は周囲に拡散したり、噴射目的部(１７)以外の人体に接触したりする事がないから、噴射目的部(１７)以外の部分を刺激したり、損傷したり、周囲を汚染したりする事がない。
【００２３】
また、噴射作業の完了後は被覆カバー(１６)内に流下したエアゾール内容物を廃棄するのみで、周囲の汚染が生じないものである。また、上記の噴射を終了し、エアゾール容器(１)を収納したり、若しくは製造段階から展示場所まで運搬をしたりする場合には、図７に示す如く、アダプター(１２)をノズル体(１０)から引き抜き、これを反転して被覆カバー(１６)の開口部(１８)方向をエアゾール容器(１)の肩カバー(５)の外周に被覆する。この被覆により、被覆カバー(１６)が邪魔となる事がなく、破損等の虞もないものとなり、運搬、収納等に於て好都合なものである。
【００２４】
また、上記実施例に於いて、ノズル体(１０)周に係合段部(１１)を形成し、ノズル体(１１)を挿通する挿通口(１４)の内面に係合突部(１５)を形成した。しかし、係合突部(１５)と係合段部(１１)とは相対的なものであるから、他の異なる実施例では、ノズル体(１０)の外周に係合突部(１５)を形成し、挿通口(１４)の内面に、係合突部(１５)と係合する複数の係合段部(１１)を形成するものとしても良い。
【００２５】
また、上記のエアゾール内容物は噴射目的に応じて適宜の物を選択する事ができるが、その一例としては鼻炎症治療スプレー、鼻詰まり防止スプレー、いびき防止スプレー、喉炎症治療剤、口中清涼剤、眼の炎症等を制御する治療剤等の任意の処方を用いる事ができる。その処方例を以下に例示する。尚数量の単位はwt％である。
【００２６】
鼻炎症治療スプレー
塩酸ナファゾリン                          ０．０５００
マイレン酸クロルフェニラミン              ０．５０００
塩化ベンザルコニウム                      ０．０１００
グリセリン                                ０．０１００
精製水                                  ９９．１３００
窒素                                      ０．３０００
合計                              １００．００００
【００２７】
鼻炎症治療スプレー
硝酸テトラヒドロゾリン                    ０．００１０
マイレン酸クロルフェニラミン              ０．００５０
リドカイ                                  ０．００３０
グリチルリチン酸カリウム                  ０．００２０
塩化  ベンザルコニウム                    ０．０００１
マグロゴール                              ０．０００２
精製水                                  ９９．６８８７
窒素                                      ０．３０００
１００．００００
【００２８】
鼻詰まり防止スプレー
濃グリセリン                              ０．３０００
塩化ナトリウム                            ０．３０００
ヒアロン酸                                ０．０１００
精製水                                  ９９．０９００
窒素                                      ０．３０００
合計                              １００．００００
【００２９】
いびき防止スプレー
濃グリセリン                              ０．００３０
塩化ナトリウム                            ０．００２０
塩化カリウム                              ０．００２０
塩化カルシウム                            ０．０００１
エデトン酸塩                              ０．０００１
塩化ベンザルコニウム                      ０．０００２
精製水                                  ９９．６９２６
窒素                                      ０．３０００
合計                              １００．００００
【００３０】
喉炎症治療剤
ヨウ素                                    ０．５０００
ヨウ素カリ                                １．００００
グリセリン                              ８５．００００
ハッカ水                                  ４．００００
９５％未変性エチルアルコール              ９．２０００
窒素                                      ０．３０００
合計                              １００．００００
【００３１】
口中清涼剤
９９％未変性エチルアルコール            ６２．００００
サッカリンナトリウム                      ０．１３３０
食用青色１号(１％水溶液)                  ０．５０００
ペパーミントフレバー                      ０．５０００
精製水                                  ３６．５６７０
窒素                                      ０．３０００
合計                              １００．００００
【００３２】
【発明の効果】
本発明は、上述の如く構成したものであるから、エアゾール内容物の噴射に於て、これを周囲に拡散して周囲を汚染したりする事がないとともに、エアゾール内容物を噴射目的部に確実に噴射塗布する事が可能となる。
【００３３】
また、ノズル体の外周には係合段部を形成したから、ノズルと噴射目的部との間の距離を任意に調整する事が可能となり、噴射目的部、エアゾール内容物、治療目的等、種々の状況に応じてノズルと噴射目的部の距離を調整する事が可能と成る。
【図面の簡単な説明】
【図１】  口部にエアゾール内容物を噴射する状態を示す断面図である。
【図２】  鼻部にエアゾール内容物を噴射する状態の断面図で、ノズル体と連結体の深い係合関係を示している。
【図３】  眼部にエアゾール内容物を噴射する状態の断面図で、ノズル体と連結体の浅い係合関係を示している。
【図４】  アダプターの断面図である。
【図５】  連結体の下底を示す拡大底面図である。
【図６】  ノズル体からアダプターを取り除いた状態の正面図である。
【図７】  アダプターを反転し、被覆カバーで肩カバーを被覆した状態の断面図である。
【符号の説明】
１    エアゾール容器
５    肩カバー
１０    ノズル体
１１    係合段部
１２    アダプター
１４    連通口
１５    係合突部
１６    被覆カバー
１７    噴射目的部
【図１】
0003944304.tif 000002
【図２】
0003944304.tif 000003
【図３】
0003944304.tif 000004
【図４】
0003944304.tif 000005
【図５】
0003944304.tif 000006
【図６】
0003944304.tif 000007
【図７】
0003944304.tif 000008